(57)【特許請求の範囲】
【請求項１】
高効率(HE)ステーション(STA)の装置であって、
当該装置が、メモリと、前記メモリに結合された処理回路とを備え、前記処理回路は、
アクセスポイントからの第1のトリガフレーム(TF)を復号する処理であって、前記第1のトリガフレーム(TF)は、前記HE  STA及び前記アクセスポイントが属する基本サービスセットの中の複数のHE  STAの表示、及び、前記アクセスポイントに帯域幅クエリレポート(BQR)を送信するための前記複数のHE  STAの各々についてのアップリンク(UL)リソース割り当てを含み、前記第1のトリガフレーム(TF)は、帯域幅ポーリングとして機能し、前記BQRは、前記アクセスポイントが、前記複数のHE  STAのうちのいずれのHE  STAにマルチユーザ送信要求(MU-RTS)を送信する必要があるかを決定するために前記アクセスポイントによって使用される、処理と、
前記第1のトリガフレーム(TF)に応答して、複数の20MHzサブチャネルのうちの各々の20MHzサブチャネルがビジーであるか否かを判定し、そして、前記BQRの対応するビットを設定して、対応する20MHzサブチャネルがビジーであるか否かを示す、処理と、
前記アップリンク(UL)リソース割り当てに従って前記BQRを前記アクセスポイントに送信するように前記HE  STAを設定するシグナリングを生成する処理と、を実行するように構成される、装置。
【請求項２】
前記複数の20MHzサブチャネルのうちの各20MHzサブチャネルがビジーであるか否かを判定する処理が、
前記対応する20MHzサブチャネルのクリアチャネル評価(CCA)がしきい値レベルを超える値を示す場合、前記対応する20MHzサブチャネルがビジーであると判定する処理を更に含む、請求項1に記載の装置。
【請求項３】
前記アップリンク(UL)リソース割り当てが、サブチャネル割り当てを含み、前記サブチャネル割り当てが20MHz未満である、請求項1に記載の装置。
【請求項４】
前記アップリンク(UL)リソース割り当てに従って前記BQRを前記アクセスポイントに送信するように前記HE  STAを設定するシグナリングを生成する処理が、
物理層コンバージェンスプロシージャプロトコルデータユニット(PPDU)の20MHzの帯域幅を有する第1の部分と、前記PPDUの前記サブチャネル割り当てに従った帯域幅を有する第2の部分とを前記アクセスポイントに送信するように前記HE  STAを設定するシグナリングを生成する処理であって、前記PPDUの前記第2の部分が前記BQRを含む、処理を更に含む、請求項3に記載の装置。
【請求項５】
前記処理回路が、
前記第1のトリガフレーム(TF)を前記復号する前に、前記アクセスポイントに対するフレームを符号化し、前記フレームが帯域幅フィールドを含み、前記BQRが前記帯域幅フィールドによって示される帯域幅のうちの各20MHzサブチャネルに1ビットを含む、ように更に構成される、請求項1に記載の装置。
【請求項６】
前記帯域幅が80MHzであり、前記複数の20MHzサブチャネルは4つの20MHzサブチャネルである、請求項5に記載の装置。
【請求項７】
前記アップリンク(UL)リソース割り当てが、複数のHEステーションがBQRを前記アクセスポイントに送信するための複数のアップリンク(UL)リソース割り当てのうちの1つである、請求項1から請求項6のいずれかに記載の装置。
【請求項８】
前記アップリンク(UL)リソース割り当てに従って前記BQRを前記アクセスポイントに送信するように前記HE  STAを設定するシグナリングを生成する処理が、
前記アップリンク(UL)リソース割り当てに従って、並びに直交周波数分割多元接続(OFDMA)及びマルチユーザ多入力多出力(MU−MIMO)の一方又は両方に従って、前記BQRを前記アクセスポイントに送信するように前記HE  STAを設定するシグナリングを生成する処理を更に含む、請求項1から請求項6のいずれかに記載の装置。
【請求項９】
前記アップリンク(UL)リソース割り当てが、サブチャネル割り当てを含み、前記アップリンク(UL)リソース割り当てに従って前記BQRを前記アクセスポイントに送信するように前記HE  STAを設定するシグナリングを生成する処理が、
物理層コンバージェンスプロシージャプロトコルデータユニット(PPDU)の20MHzの帯域幅を有する第1の部分と、前記PPDUの前記サブチャネル割り当てに従った帯域幅を有する第2の部分とを前記アクセスポイントに送信するように前記HE  STAを設定するシグナリングを生成する処理であって、前記PPDUの前記第2の部分が前記BQRを含み、前記サブチャネル割り当てが前記20MHzの帯域幅内にある、処理を更に含む、請求項1から請求項6のいずれかに記載の装置。
【請求項１０】
前記複数の20MHzサブチャネルのうちの各20MHzサブチャネルがビジーであるか否かを判定する処理が、
前記対応する20MHzサブチャネルのクリアチャネル評価(CCA)がしきい値レベルを超える値を示すか、又は前記HE  STAのネットワーク割り当てベクトルが、前記対応する20MHzサブチャネルがビジーであることを示す場合、前記対応する20MHzサブチャネルがビジーであると判定する処理を更に含む、請求項1から請求項6のいずれかに記載の装置。
【請求項１１】
前記HE  STA及び前記アクセスポイントが、それぞれ、米国電気電子学会(IEEE)802．11axアクセスポイント、IEEE  802．11axステーション、IEEE  802．11ステーション、及びIEEE  802．11アクセスポイントのグループからの1つである、請求項1から請求項6のいずれかに記載の装置。
【請求項１２】
前記処理回路に結合されたトランシーバ回路を更に備える、請求項1から請求項6のいずれかに記載の装置。
【請求項１３】
前記トランシーバ回路に結合された1つ又は複数のアンテナを更に備える、請求項12に記載の装置。
【請求項１４】
高効率(HE)ステーション(STA)の装置の1つ又は複数のプロセッサによる実行のための命令を含むコンピュータプログラムであって、前記命令は、
アクセスポイントからの第1のトリガフレーム(TF)を復号する処理であって、前記第1のトリガフレーム(TF)は、前記HE  STA及び前記アクセスポイントが属する基本サービスセットの中の複数のHE  STAの表示、及び、前記アクセスポイントに帯域幅クエリレポート(BQR)を送信するための前記複数のHE  STAの各々についてのアップリンク(UL)リソース割り当てを含み、前記第1のトリガフレーム(TF)は、帯域幅ポーリングとして機能し、前記BQRは、前記アクセスポイントが、前記複数のHE  STAのうちのいずれのHE  STAにマルチユーザ送信要求(MU-RTS)を送信する必要があるかを決定するために前記アクセスポイントによって使用される、処理と、
前記第1のトリガフレーム(TF)に応答して、複数の20MHzサブチャネルのうちの各々の20MHzサブチャネルがビジーであるか否かを判定し、そして、前記BQRの対応するビットを設定して、対応する20MHzサブチャネルがビジーであるか否かを示す、処理と、
前記アップリンク(UL)リソース割り当てに従って前記BQRを前記アクセスポイントに送信するように前記HE  STAを設定するシグナリングを生成する処理と、を実行するように前記1つ又は複数のプロセッサを設定する、コンピュータプログラム。
【請求項１５】
前記複数の20MHzサブチャネルのうちの各20MHzサブチャネルがビジーであるか否かを判定する処理が、
前記対応する20MHzサブチャネルのクリアチャネル評価(CCA)がしきい値レベルを超える値を示す場合、前記対応する20MHzサブチャネルがビジーであると判定する処理を更に含む、請求項14に記載のコンピュータプログラム。
【請求項１６】
前記アップリンク(UL)リソース割り当てが、サブチャネル割り当てを含み、前記サブチャネル割り当てが20MHz未満であり、前記アップリンク(UL)リソース割り当てに従って前記BQRを前記アクセスポイントに送信するように前記HE  STAを設定するシグナリングを生成する処理が、
物理層コンバージェンスプロシージャプロトコルデータユニット(PPDU)の20MHzの帯域幅を有する第1の部分と、前記PPDUの前記サブチャネル割り当てに従った帯域幅を有する第2の部分とを前記アクセスポイントに送信するように前記HE  STAを設定するシグナリングを生成する処理であって、前記PPDUの前記第2の部分が前記BQRを含む、処理を更に含む、請求項14又は請求項15に記載のコンピュータプログラム。
【請求項１７】
高効率(HE)ステーション(STA)の装置によって実行される方法であって、当該方法は、
アクセスポイントからの第1のトリガフレーム(TF)を復号するステップであって、前記第1のトリガフレーム(TF)は、前記HE  STA及び前記アクセスポイントが属する基本サービスセットの中の複数のHE  STAの表示、及び、前記アクセスポイントに帯域幅クエリレポート(BQR)を送信するための前記複数のHE  STAの各々についてのアップリンク(UL)リソース割り当てを含み、前記第1のトリガフレーム(TF)は、帯域幅ポーリングとして機能し、前記BQRは、前記アクセスポイントが、前記複数のHE  STAのうちのいずれのHE  STAにマルチユーザ送信要求(MU-RTS)を送信する必要があるかを決定するために前記アクセスポイントによって使用される、ステップと、
前記第1のトリガフレーム(TF)に応答して、複数の20MHzサブチャネルのうちの各々の20MHzサブチャネルがビジーであるか否かを判定し、そして、前記BQRの対応するビットを設定して、対応する20MHzサブチャネルがビジーであるか否かを示す、ステップと、
前記アップリンク(UL)リソース割り当てに従って前記BQRを前記アクセスポイントに送信するように前記HE  STAを設定するシグナリングを生成するステップと、を含む、
方法。
【請求項１８】
前記複数の20MHzサブチャネルのうちの各20MHzサブチャネルがビジーであるか否かを判定するステップが、
前記対応する20MHzサブチャネルのクリアチャネル評価(CCA)がしきい値レベルを超える値を示す場合、前記対応する20MHzサブチャネルがビジーであると判定するステップを更に含む、請求項17に記載の方法。
【請求項１９】
高効率(HE)アクセスポイント(AP)の装置であって、当該装置は、メモリと、前記メモリに結合された処理回路と、を備え、前記処理回路は、
第1のトリガフレーム(TF)を符号化する処理であって、前記第1のトリガフレーム(TF)は、前記HE  APが属する基本サービスセットの中の複数の高効率(HE)ステーション(STA)の表示、及び、前記HE  APに帯域幅クエリレポート(BQR)を送信するための前記複数のHE  STAの各々についてのアップリンク(UL)リソース割り当てを含み、前記第1のトリガフレーム(TF)は、帯域幅ポーリングとして機能し、前記BQRは、前記HE  APが、前記複数のHE  STAのうちのいずれのHE  STAにマルチユーザ送信要求(MU-RTS)を送信する必要があるかを決定するために前記HE  APによって使用される、処理と、
前記複数のHE  STAに前記第1のトリガフレーム(TF)を送信するように前記HE  APを設定するシグナリングを生成する処理と、
前記複数のアップリンク(UL)リソース割り当てに従って前記複数のHE  STAからの複数のBQRを復号する処理と、を実行するように構成される、
装置。
【請求項２０】
前記複数のアップリンク(UL)リソース割り当てのそれぞれが、対応するサブチャネル割り当てを含む、請求項19に記載の装置。
【請求項２１】
前記複数のアップリンク(UL)リソース割り当てに従って前記複数のHE  STAからの複数のBQRを復号する処理が、
前記複数のアップリンク(UL)リソース割り当てに従って前記複数のHE  STAからの前記複数のBQRを復号する処理であって、前記複数のBQRのうちの各BQRが、物理層コンバージェンスプロシージャプロトコルデータユニット(PPDU)の20MHzの帯域幅を有する第1の部分と、前記PPDUの前記対応するサブチャネル割り当てに従った帯域幅を有する第2の部分とを含み、前記PPDUの前記第2の部分が前記BQRを含む、処理を更に含む、請求項20に記載の装置。
【請求項２２】
前記処理回路が、
前記第1のトリガフレーム(TF)を前記符号化する前に、前記複数のHE  STAの各々からのフレームを復号し、前記フレームが対応する帯域幅フィールドを含み、前記複数のBQRが前記対応する帯域幅フィールドによって示される帯域幅のうちの各20MHzサブチャネルに1ビットをそれぞれ含む、ように更に構成される、請求項19から請求項21のいずれかに記載の装置。
【請求項２３】
前記処理回路に結合されたトランシーバ回路を更に備える、請求項19から請求項21のいずれかに記載の装置。
【請求項２４】
前記トランシーバ回路に結合された1つ又は複数のアンテナを更に備える、請求項23に記載の装置。
【請求項２５】
請求項14から請求項16のいずれかに記載のコンピュータプログラムを記憶したコンピュータ読み取り可能な記憶媒体。
【発明の詳細な説明】
【技術分野】
【０００１】
優先権の主張
本出願は、２０１５年４月２４日に出願された米国仮特許出願第６２／１５２，１１０号に対する優先権の利益を主張する２０１５年９月９日に出願された米国特許出願第１４／８４９，０６９号に対して優先権の利益を主張し、上記出願のそれぞれはその全体が参照により本明細書に組み込まれる。
【０００２】
技術分野
実施例は、米国電気電子学会（ＩＥＥＥ）８０２．１１に関連する。いくつかの実施例は、高効率無線ローカルエリアネットワーク（ＨＥＷ）に関する。いくつかの実施例は、ＩＥＥＥ８０２．１１ａｘに関する。いくつかの実施例は、マルチユーザ送信要求（multi-user  request-to-send：ＭＵ−ＲＴＳ）及び送信クリア（clear-to-send：ＣＴＳ、送信可）に関する。いくつかの実施例は、利用可能性レポートを伴うＭＵ−ＲＴＳに関する。いくつかの実施例は、トリガフレームの前に帯域幅利用可能性レポートに基づいてダウンリンクリソースを再割り当てすることに関する。いくつかの実施例は、帯域幅表示フレーム及び／又は帯域幅利用可能性トリガに関する。
【背景技術】
【０００３】
無線ローカルエリアネットワーク（ＷＬＡＮ）のリソースを効率的に使用することは、ＷＬＡＮのユーザに対して帯域幅及び許容可能な応答時間を提供するために重要である。しかしながら、多くの場合、同じリソースを共有しようとする多くのデバイスが存在し、デバイス同士が干渉する場合がある。また、他の無線デバイスが利用可能なリソースを認識することは、無線デバイスには難しいかもしれない。さらに、無線デバイスは、より新しいプロトコル、及びレガシーデバイスプロトコルの両方で動作する必要があり得る。
【０００４】
本開示は、同様の参照符号が同様の要素を示す添付の図面の図において、限定ではなく一例として例示される。
【図面の簡単な説明】
【０００５】
【図１】いくつかの実施例による無線ネットワークを例示する。
【図２】いくつかの実施例によるＭＵ−ＲＴＳ及びＭＵ−ＣＴＳの方法を例示する。
【図３】いくつかの実施例によるＣＴＳ応答を送信する方法を例示する。
【図４】いくつかの実施例によるＣＴＳ応答を送信する方法を例示する。
【図５】いくつかの実施例によるＣＴＳ応答を送信する方法を例示する。
【図６】いくつかの実施例によるＣＴＳ応答を送信する方法を例示する。
【図７】いくつかの実施例によるＣＴＳ応答を送信する方法を例示する。
【図８】いくつかの実施例によるＣＴＳ応答を送信する方法を例示する。
【図９】いくつかの実施例による帯域幅表示シグナリングを例示する。
【図１０】いくつかの実施例によるＣＴＳを送信する方法を例示する。
【図１１】いくつかの実施例によるトリガフレームを送信するための方法を例示する。
【図１２】いくつかの実施例による帯域幅利用可能性レポートのための方法を例示する。
【図１３】いくつかの実施例による帯域幅利用可能性レポートのための方法を例示する。
【図１４】いくつかの実施例による帯域幅利用可能性レポートの例を例示する。
【図１５】いくつかの実施例による帯域幅利用可能性レポートのための方法を例示する。
【図１６】いくつかの実施例による帯域幅利用可能性レポートを例示する。
【図１７】いくつかの実施例に従って、帯域幅利用可能性トリガがＭＵ−ＲＴＳの後に送信され得ることを例示する。
【図１８】いくつかの実施例によるＨＥＷステーションを例示する。
【発明を実施するための形態】
【０００６】
下記の説明及び図面は、特定の実施例を、当業者がそれらを実施することを可能にするために十分に例示する。他の実施例は、構造上の変更、論理的な変更、電気的な変更、処理の変更及び他の変更を組み込み得る。いくつかの実施例の部分及び特徴は、他の実施例の部分及び特徴に含まれ得るか、又は他の実施例の部分及び特徴と置き換わり得る。請求項において明らかにされた実施例は、それらの請求項の全ての利用可能な等価物を網羅する。
【０００７】
図１は、いくつかの実施例によるＷＬＡＮ１００を例示する。ＷＬＡＮは、ＡＰであり得るマスタステーション１０２、複数の高効率無線（ＨＥＷ）（例えば、ＩＥＥＥ８０２．１１ａｘ）ＳＴＡ１０４、及び複数のレガシー（例えば、ＩＥＥＥ８０２．１１ｎ／ａｃ）デバイス１０６を含み得る基本サービスセット（basis  service  set：ＢＳＳ）を含むことができる。
【０００８】
マスタステーション１０２は、ＩＥＥＥ８０２．１１を使用して送受信するためのＡＰであり得る。マスタステーション１０２は、基地局であってもよい。マスタステーション１０２は、ＩＥＥＥ８０２．１１プロトコルに加えて他の通信プロトコルを使用してもよい。ＩＥＥＥ８０２．１１プロトコルは、ＩＥＥＥ８０２．１１ａｘであってもよい。ＩＥＥＥ８０２．１１プロトコルは、直交周波数分割多元接続（ＯＦＤＭＡ）、時分割多元接続（ＴＤＭＡ）、及び／又は符号分割多元接続（ＣＤＭＡ）を使用することを含み得る。ＩＥＥＥ８０２．１１プロトコルは、多元接続技術を含むことができる。例えば、ＩＥＥＥ８０２．１１プロトコルは、空間分割多元接続（ＳＤＭＡ）、及び／又はマルチユーザ多入力多出力（ＭＵ−ＭＩＭＯ）を含むことができる。
【０００９】
レガシーデバイス１０６は、ＩＥＥＥ８０２．１１ａ／ｇ／ａｇ／ｎ／ａｃ、又は別のレガシー無線通信標準のうちの１つ若しくは複数に従って動作することができる。レガシーデバイス１０６は、ＳＴＡ又はＩＥＥＥ  ＳＴＡであってもよい。
【００１０】
ＨＥＷ  ＳＴＡ１０４は、例えば、セルラ電話、スマートフォン（smart  telephone）、ハンドヘルド無線デバイス、無線眼鏡、無線腕時計、無線パーソナルデバイス、タブレット、又はＩＥＥＥ８０２．１１ａｘプロトコルなどのＩＥＥＥ８０２．１１プロトコル若しくは別の無線プロトコルを使用して送受信することができる別のデバイスのような、
無線送受信デバイスであってもよい。いくつかの実施例では、ＨＥＷ  ＳＴＡ１０４は、高効率（ＨＥ）ステーションと呼ばれ得る。
【００１１】
ＢＳＳ１００は、プライマリチャネル、及び１つ若しくは複数のセカンダリチャネル又はサブチャネルで動作することができる。ＢＳＳ１００は、１つ又は複数のマスタステーション１０２を含むことができる。いくつかの実施例によれば、マスタステーション１０２は、セカンダリチャネル若しくはサブチャネル、又はプライマリチャネルのうちの１つ又は複数上で、ＨＥＷデバイス１０４のうちの１つ又は複数と通信することができる。いくつかの実施例によれば、マスタステーション１０２は、プライマリチャネル上でレガシーデバイス１０６と通信する。いくつかの実施例によれば、マスタステーション１０２は、セカンダリチャネルのうちの１つ又は複数上でＨＥＷデバイス１０４のうちの１つ又は複数と、そしてプライマリチャネルのみを利用するとともにセカンダリチャネルのうちのいずれも利用しないでレガシーデバイス１０６と、同時に通信するように構成されてもよい。
【００１２】
マスタステーション１０２は、レガシーＩＥＥＥ８０２．１１通信技術に従ってレガシーデバイス１０６と通信することができる。例示的な実施例では、マスタステーション１０２は、同様に、レガシーＩＥＥＥ８０２．１１通信技術に従ってＨＥＷ  ＳＴＡ１０４と通信するように構成されてもよい。レガシーＩＥＥＥ８０２．１１通信技術は、ＩＥＥＥ８０２．１１ａｘ以前の任意のＩＥＥＥ８０２．１１通信技術のことを指してもよい。
【００１３】
いくつかの実施例では、ＨＥＷフレームは、サブチャネルと同じ帯域幅を有するように設定可能であり得る。いくつかの実施例では、サブチャネルは、下記、すなわち２０ＭＨｚ、４０ＭＨｚ、若しくは８０ＭＨｚ、１６０ＭＨｚ、３２０ＭＨｚの連続帯域幅、又は、８０＋８０ＭＨｚ（１６０ＭＨｚ）の非連続帯域幅のうちの１つの帯域幅を有することができる。いくつかの実施例では、サブチャネルは、１ＭＨｚ、１．２５ＭＨｚ、２．０ＭＨｚ、２．０２ＭＨｚ、２．５ＭＨｚ、５ＭＨｚ、及び１０ＭＨｚの帯域幅、若しくはそれらの組み合わせを有し得るか、又は、利用可能な帯域幅以下の別の帯域幅が、同様に使用され得る。
【００１４】
いくつかの実施例では、サブチャネルの帯域幅は、２０ＭＨｚ又は２５６トーンのサブチャネルによって間隔を空けられた、２６の倍数（例えば、２６、５２、１０４など）のトーンである。いくつかの実施例では、サブチャネルは、２６個のトーンの倍数、又は２０ＭＨｚの倍数である。いくつかの実施例では、２０ＭＨｚのサブチャネルは、２５６ポイントの高速フーリエ変換（ＦＦＴ）のために２５６個のトーンを含むことができる。ＨＥＷフレームは、ＭＵ−ＭＩＭＯに従うことができるいくつかの空間ストリームを送信するように構成されることができる。
【００１５】
いくつかの実施例では、基本的な割り当て又はリソース単位は、２６個又は２４２個のサブキャリアであってもよく、チャネル及びサブチャネルは、複数の基本リソース単位から構成されてもよい。いくつかの実施例では、基本的な割り当て又はリソース単位は、２４個から２５６個などの異なる数のサブキャリアであってもよい。いくつかの実施例では、いくつかの基本リソースユニットに加えて、チャネル又はサブチャネルにおいて、１つ又は複数の余ったサブキャリアが存在してもよい。
【００１６】
他の実施例では、マスタステーション１０２、ＨＥＷ  ＳＴＡ１０４、及び／又はレガシーデバイス１０６は、同様に、符号分割多元接続（ＣＤＭＡ）２０００、ＣＤＭＡ２０００  １Ｘ、ＣＤＭＡ２０００エボリューションデータオプティマイズド（Evolution-Data  Optimized：ＥＶ−ＤＯ）、暫定標準２０００（Interim  Standard  2000：ＩＳ−２０００）、暫定標準９５（Interim  Standard  95：ＩＳ−９５）、暫定標準８５６（Interim  Standard  ８５６：ＩＳ−８５６）、ロングタームエボリューション（ＬＴＥ）、グローバルシステムフォーモバイルコミュニケーションズ（ＧＳＭ（登録商標））、ＧＳＭ進化型高速データレート（Enhanced  Data  rates  for  GSM  Evolution：ＥＤＧＥ）、ＧＳＭ  ＥＤＧＥ無線アクセスネットワーク（ＧＥＲＡＮ）、ＩＥＥＥ８０２．１６（すなわち、ワイマックス（Worldwide  Interoperability  for  Microwave  Access：ＷｉＭＡＸ）、ブルートゥース（登録商標）、又は他の技術のような、異なる技術を実装し得る。
【００１７】
いくつかの実施例は、ＨＥＷ通信に関連する。いくつかのＩＥＥＥ８０２．１１ａｘの実施例によれば、マスタステーション１０２は、ＨＥＷ制御期間の間に媒体の排他的制御を受信するために（例えば、競合期間中に）無線媒体を求めて競合するように構成され得るマスタステーションとして動作することができる。いくつかの実施例では、ＨＥＷ制御期間は、送信機会（ＴＸＯＰ）と呼ばれ得る。マスタステーション１０２は、ＨＥＷ制御期間の開始時に、トリガフレーム又はＨＥＷ制御及びスケジュール送信であってもよい、ＨＥＷマスタ同期送信を送信することができる。マスタステーション１０２は、ＴＸＯＰの持続時間、及びサブチャネル情報を送信することができる。ＨＥＷ制御期間の間、ＨＥＷ  ＳＴＡ１０４は、ＯＦＤＭＡ又はＭＵ−ＭＩＭＯなどの非競合ベースの多元接続技術に従って、マスタステーション１０２と通信することができる。これは、多元接続技術ではなく、競合ベースの通信技術に従って装置が通信する従来のＷＬＡＮ通信とは異なる。ＨＥＷ制御期間の間、マスタステーション１０２は、１つ又は複数のＨＥＷフレームを使用してＨＥＷステーション１０４と通信することができる。ＨＥＷ制御期間の間、ＨＥＷ  ＳＴＡ１０４は、マスタステーション１０２の動作範囲よりも小さいサブチャネル上で動作することができる。ＨＥＷ制御期間の間、レガシーステーションは通信を控える。いくつかの実施例によれば、マスタ同期送信の間、ＨＥＷ  ＳＴＡ１０４は、マスタ同期送信中に無線媒体を求める競合から除外されているレガシーデバイス１０６と、無線媒体を求めて競合し得る。
【００１８】
いくつかの実施例では、ＨＥＷ制御期間中に使用される多元接続技術は、スケジュールされたＯＦＤＭＡ技術であってもよいが、これは必要条件ではない。いくつかの実施例では、多元接続技術は、ＴＤＭＡ技術又は周波数分割多元接続（ＦＤＭＡ）技術とすることができる。いくつかの実施例では、多元接続技術は、ＳＤＭＡ技術であってもよい。
【００１９】
マスタステーション１０２は、同様に、レガシーＩＥＥＥ８０２．１１通信技術に従って、レガシーステーション１０６及び／又はＨＥＷステーション１０４と通信することができる。いくつかの実施例では、マスタステーション１０２は、同様に、レガシーＩＥＥＥ８０２．１１通信技術に従ってＨＥＷ制御期間外にＨＥＷステーション１０４と通信するように構成され得るが、これは必要条件ではない。
【００２０】
例示的な実施例では、ＨＥＷデバイス１０４及び／又はマスタステーション１０２は、図１から図１８に関連して本明細書で説明された方法及び機能を実行するように構成されている。
【００２１】
図２は、いくつかの実施例によるＭＵ−ＲＴＳ及びＭＵ−ＣＴＳの方法２００を例示する。図２には、水平軸に沿った時間２０４と、垂直軸に沿った周波数２０２とが例示されている。方法２００は、マスタステーション１０２がＭＵ−ＲＴＳ段階２０６で送信する動作２５０において開始することができる。マスタステーション１０２は、ＣＴＳパケットを送信する要求の表示を１つ又は複数のＨＥＷ  ＳＴＡ１０４に送信することができる。方法２００は、ＨＥＷ  ＳＴＡ  １０４がＭＵ−ＣＴＳ段階２０８で送信する動作２５２に進行することができる。ＭＵ−ＣＴＳ段階２０８は、１つ又は複数のＨＥＷ  ＳＴＡ１０４がＭＵ−ＣＴＳを送信することを含む。方法２００は、ダウンリンク（ＤＬ）ＭＵ−データ２１０がマスタステーション１０２によって１つ又は複数のＨＥＷ  ＳＴＡ１０４に送信される動作２５４に進行することができる。ＤＬ  ＭＵ−データ２１０を受信する１つ又は複数のＨＥＷ  ＳＴＡ１０４は、ＭＵ−ＣＴＳ段階２０８においてＭＵ−ＣＴＳを送信したＨＥＷ  ＳＴＡ１０４とは異なるＨＥＷ  ＳＴＡ  １０４のセットであってもよい。ＤＬ  ＭＵ−データ２１０を受信する１つ又は複数のＨＥＷ  ＳＴＡ１０４は、マスタステーション１０２によって送信されるＭＵ−ＲＴＳ段階２０６においてアドレス指定されたＨＥＷ  ＳＴＡ１０４とは異なるＨＥＷ  ＳＴＡ  １０４のセットであってもよい。
【００２２】
方法２００は、１つ又は複数のＨＥＷ  ＳＴＡがアップリンクマルチユーザ確認応答（ＵＬ  ＭＵ−ＡＣＫ）２１２をマスタステーション１０２に送信する動作２５６に進行することができる。方法２００は終了することができる。いくつかの実施例では、１つ又は複数の動作が繰り返されてもよい。
【００２３】
図３は、いくつかの実施例によるＣＴＳ応答を送信する方法を例示する。図３には、水平軸に沿った時間３０４と、垂直軸に沿った周波数３０２とが例示されている。方法３００は、複数の２０ＭＨｚチャネル３０６上でＣＴＳ応答３１０を送信するＨＥＷ  ＳＴＡ１０４を例示する。ＣＴＳ応答３１０は、複製されてもよく、その結果、ＣＴＳ応答３１０．１はＣＴＳ応答３１０．２と同じであるが、しかし異なる２０ＭＨｚチャネル３０６上で送信される。方法３５０は、ＨＥＷ  ＳＴＡ１０４が４つの連続する２０ＭＨｚチャネル上でＣＴＳ応答３１２を送信して、８０ＭＨｚチャネル３０８を形成することを例示する。いくつかの実施例では、異なる帯域幅が２０ＭＨｚチャネル３０６及び／又は８０ＭＨｚチャネル３０８に対して使用されることができる。いくつかの実施例では、ＨＥＷ  ＳＴＡ１０４は、異なる２０ＭＨｚチャネル３０６に対して異なるＣＴＳ応答３１０を送信するように構成されてもよい。いくつかの実施例では、２０ＭＨｚチャネル３０６のうちの１つは、プライマリチャネルであってもよい。例えば、２０ＭＨｚチャネル３０６．１は、プライマリチャネルであってもよい。
【００２４】
いくつかの実施例では、ＨＥＷ  ＳＴＡ１０４及び／又はマスタステーション１０２は、非連続的な２０ＭＨｚチャネル３０６上でＣＴＳ応答３１０を送信することができない場合がある。例えば、ＨＥＷ  ＳＴＡ１０４は、２０ＭＨｚチャネル３０６．１及び２０ＭＨｚチャネル３０６．３上で同時に送信することが、同様に２０ＭＨｚチャネル３０６．２上で送信することなしではできないように制限されてもよい。
【００２５】
図４から図７は、いくつかの実施例によるＣＴＳ応答を送信する方法を例示する。図４から図７には、水平軸に沿った時間４０４と、垂直軸に沿った周波数４０２とが例示されている。周波数４０２は、異なるチャネルを含むことができる。例えば、図示のように、周波数４０２は、４つの２０ＭＨｚチャネル４０６を含む。異なる帯域幅が使用されてもよいとともに、異なる数のチャネルが使用されてもよい。１つの２０ＭＨｚチャネル４０６は、プライマリチャネルであってもよく、それは、図示のように、２０ＭＨｚチャネル４０６．１である。１つの２０ＭＨｚチャネル４０６は、セカンダリチャネルであってもよく、それは、図示のように、２０ＭＨｚチャネル４０６．２である。
【００２６】
ＨＥＷ  ＳＴＡ１０４は、ＣＴＳ応答４１０、５１０、６１０、７１０を送信する。図示のように、ＣＴＳ応答４１０、５１０、６１０、７１０は同じであってもよいが、しかし、いくつかの実施例では、ＣＴＳ応答４１０、５１０、６１０、７１０は、チャネルのうちの１つ又は複数に対して異なっていてもよい。
【００２７】
図８は、図４から図７に関連して開示されることになる。図８は、いくつかの実施例によるＣＴＳ応答を送信する方法を例示する。図８には、水平軸に沿った時間４０４と、垂直軸に沿った周波数４０２とが例示されている。ＨＥＷ  ＳＴＡ１０４は、２０ＭＨｚのチャネル４０６の観測を行うことができる。観測は、例えば、２０ＭＨｚチャネル４０６のクリアチャネル評価、ビジー状態、及び／又はＮＡＶ状態を含むことができる。観測によって、２０ＭＨｚチャネル４０６が利用不可能であるか、利用可能であるか、又は或る実施例では不確定であると判断することができる。例えば、図示されているように、２０ＭＨｚチャネル４０６．１、４０６．３、及び４０６．４は、それぞれ、８０２．１、８０２．２、及び８０２．３で利用可能である。２０ＭＨｚチャネル４０６．２は、利用不可能８０４である。例えば、ＨＥＷ  ＳＴＡ１０４は、チャネル４０６．２が２０ＭＨｚチャネル４０６．２上で送信しないように表示するためにＮＡＶセットを有すると判定することができるか、又はＨＥＷ  ＳＴＡ１０４は、クリアチャネル評価を実行し、２０ＭＨｚチャネル４０６．２がクリアでないと判定することができる。
【００２８】
いくつかの実施例では、ＨＥＷ  ＳＴＡ１０４は、どの２０ＭＨｚチャネル４０６上でマスタステーション１０２がＨＥＷ  ＳＴＡ１０４にパケットを送信しようとしているかを知らない。ＨＥＷ  ＳＴＡ１０４は、ＲＴＳ又はＭＵ−ＲＴＳに応答している可能性がある。ＨＥＷ  ＳＴＡ１０４は、周期的に、又はＲＴＳ、ＭＵ−ＲＴＳ、トリガフレーム、若しくは別のパケットに応答して、２０ＭＨｚチャネル４０６を観測しようと試みることができる。
【００２９】
いくつかの実施例では、ＨＥＷ  ＳＴＡ１０４は、チャネルの観測に基づいて利用可能であると判定された２０ＭＨｚチャネル４０６上でのみＣＴＳ応答４１０、５１０、６１０、７１０を送信することができる。いくつかの実施例では、ＨＥＷ  ＳＴＡ１０４は、観測に基づいて、及びＨＥＷ  ＳＴＡ１０４の制約に基づいて、ＨＥＷ  ＳＴＡ１０４が送信できるのと、例えば、ＨＥＷ  ＳＴＡ１０４が連続した２０ＭＨｚチャネル４０６上でのみ送信することができ得るのと同数の２０ＭＨｚチャネル４０６上でのみＣＴＳ応答４１０、５１０、６１０、７１０を送信することを試みることができる。
【００３０】
いくつかの実施例では、ＨＥＷ  ＳＴＡ１０４は、連続する２０ＭＨｚチャネル４０６上でのみ送信するように制限されてもよい。ＨＥＷ  ＳＴＡ１０４は、最大の連続する帯域幅上でＣＴＳ応答４１０、５１０、６１０、７１０を送信することを選択することができる。例えば、図４において、ＨＥＷ  ＳＴＡ１０４は、それぞれ、ＣＴＳ応答４１０．１及び４１０．２を含んで、２０ＭＨｚチャネル４０６．２及び４０６．３上で送信することを選択することができる。
【００３１】
いくつかの実施例では、ＨＥＷ  ＳＴＡ１０４は、プライマリ２０ＭＨｚチャネル４０６．１上で送信するように構成されてもよく、プライマリ２０ＭＨｚチャネル４０６．１を含む最大数の連続する２０ＭＨｚチャネル４０６上で送信してもよい。例えば、図５において、ＨＥＷ  ＳＴＡ１０４は、それぞれ、プライマリ２０ＭＨｚチャネル４０６．１及びセカンダリ２０ＭＨｚチャネル４０６．２上でＣＴＳ応答５１０．１及び５１０．２を送信することができる。ＨＥＷ  ＳＴＡ１０４は、２０ＭＨｚチャネル４０６．３が利用できなかった可能性があるので、２０ＭＨｚチャネル４０６．３上で送信しなかった可能性がある。ＨＥＷ  ＳＴＡ１０４は、２０ＭＨｚチャネル４０６．４が利用可能な２０ＭＨｚチャネル４０６と連続していなかったので、２０ＭＨｚチャネル４０６．４上で送信しなかった可能性がある。
【００３２】
図６では、ＨＥＷ  ＳＴＡ１０４は、プライマリ２０ＭＨｚチャネル４０６を含むようにＣＴＳ応答６１０．１及び６１０．２を送信する。図６では、ＨＥＷ  ＳＴＡ１０４は、連続した２０ＭＨｚチャネル４０６上でのみ送信するように制約されていない。
【００３３】
図７では、ＨＥＷ  ＳＴＡ１０４は、連続する２０ＭＨｚチャネル４０６上でのみＣＴＳ応答７１０を送信するように制約されていない。ＨＥＷ  ＳＴＡ１０４は、それぞれ、２０ＭＨｚチャネル４０６．１、４０６．３、及び４０６．４上でＣＴＳ応答７１０．１、７１０．２、及び７１０．３をそれぞれ送信することができる。ＨＥＷ  ＳＴＡ１０４は、観測により２０ＭＨｚチャネル４０６．２が利用不可能であると判断できるので、２０ＭＨｚチャネル４０６．２上で送信することはできない。
【００３４】
いくつかの実施例では、ＨＥＷ  ＳＴＡ１０４は、ＣＴＳ応答４１０、５１０、６１０、７１０が必要とされない２０ＭＨｚチャネル４０６上で、ＣＴＳ応答４１０、５１０、６１０、７１０を送信することができる（例えば、マスタステーション１０２は、２０ＭＨｚチャネル４０６上でデータを送信しなくてもよい）か、又はＨＥＷ  ＳＴＡ１０４は、ＣＴＳ応答４１０、５１０、６１０、７１０を必要とする２０ＭＨｚチャネル４０６上で、ＣＴＳ応答４１０、５１０、６１０、７１０を送信しなくてもよい（例えば、２０ＭＨｚチャネル４０６が利用不可能であると観測され得るか、又はＨＥＷ  ＳＴＡ１０４が、連続する２０ＭＨｚチャネル４０６上でのみ送信するように制約され得るとともに、マスタステーション１０２がＨＥＷ  ＳＴＡ１０４にデータを送信するために使用する２０ＭＨｚチャネル４０６を選択していない可能性がある）。
【００３５】
図９は、いくつかの実施例による帯域幅表示シグナリング９００、９５０を例示する。帯域幅表示シグナリング９００は、帯域幅９０２、及び（複数の）ステーション９０４を含むことができる。帯域幅９０２は、帯域幅の表示であることができ、（複数の）ステーション９０４は、１つ又は複数のＨＥＷステーション１０４の表示であることができる。帯域幅表示シグナリング９００、９５０は、マスタステーション１０２から１つ又は複数のＨＥＷ  ＳＴＡ１０４へのパケットに含まれて、マスタステーション１０２が送信しようとする帯域幅を示すことができる。
【００３６】
帯域幅表示シグナリング９５０は、８０ＭＨｚ帯域幅に対する帯域幅表示シグナリング９００の一例である。プライマリ２０ＭＨｚ帯域の表示９０６は、プライマリ２０ＭＨｚ帯域が使用されることになるかどうかの表示であり得る。ステーションのリスト９０８、９１２、９１６、９２０は、帯域が使用されることになることを帯域が表示する場合に、どのステーションが対応する帯域９０６、９１０、９１４、９１８上でＣＴＳを送信するべきかの表示であり得る。ステーションのリスト９０８、９１２、９１６、９２０は、マスタステーション１０２が、帯域９０６、９１０、９１４、９１８の対応する表示上でどのステーションに対してデータを送信しようとするかの表示であり得る。
【００３７】
同様に、セカンダリ２０ＭＨｚ帯域の表示９１０、セカンダリ４０ＭＨｚ帯域内の上側２０ＭＨｚの表示、セカンダリ４０ＭＨｚ帯域内の下側２０ＭＨｚの表示は、セカンダリ２０ＭＨｚ帯域、セカンダリ４０ＭＨｚ帯域内の上側２０ＭＨｚ、及びセカンダリ４０ＭＨｚ帯域内の下側２０ＭＨｚのそれぞれが、使用されることになるかどうかの表示であり得る。
【００３８】
図１０は、いくつかの実施例によるＣＴＳを送信する方法１０００を例示する。方法１０００は、任意に、帯域幅表示を受信する動作１００２において開始することができる。例えば、ＨＥＷ  ＳＴＡ１０４及び／又はマスタステーション１０２は、帯域幅表示シグナリング９００、９５０を受信することができる。
【００３９】
方法１０００は、任意に、チャネルを観測する動作１００４に進行することができる。例えば、ＨＥＷ  ＳＴＡ１０４は、図８に関連して開示されるように、観測を実行することができる。
【００４０】
方法１０００は、ＣＴＳを送信するためのチャネルを判定する動作１００６に進行することができる。例えば、ＨＥＷ  ＳＴＡ１０４は、観測に基づいて、チャネル上で送信するかどうかを判定することができる。ＨＥＷ  ＳＴＡ１０４は、利用可能であると観測されたチャネル上でのみＣＴＳを送信することができる。いくつかの実施例では、ＨＥＷ  ＳＴＡ１０４は、帯域幅表示シグナリングで表示されたチャネル上でのみ送信することができる。いくつかの実施例では、ＨＥＷ  ＳＴＡ１０４は、帯域幅表示シグナリングに表示されたチャネル、及び利用可能であると観測されたチャネル上でのみ送信することができる。いくつかの実施例では、ＨＥＷ  ＳＴＡ１０４は、連続するチャネル上でのみＣＴＳを送信することができる。いくつかの実施例では、ＨＥＷ  ＳＴＡ１０４は、帯域幅表示シグナリングで表示されたチャネル、利用可能であると観測されたチャネル、及び連続するチャネル上でのみ送信することができる。２つ以上の連続する２０ＭＨｚ帯域がある場合、ＨＥＷ  ＳＴＡ１０４は、下記のこと、すなわち最大の連続するチャンネルを選択すること、連続するチャンネルをランダムに選択すること、プライマリチャネルを含む連続するチャネルを選択することのうちの１つ又は複数を行うことを選択することができる
【００４１】
方法１０００は継続し得る。判定されたチャネル上でＣＴＳを送信する動作１０１０では、ＣＴＳを送信するための少なくとも１つのチャネルが存在する。例えば、ＨＥＷ  ＳＴＡ１０４は、動作１００８において、どのチャネルを送信するかを判定し、次に動作１０１０において、判定されたチャネルで送信することができる。ＨＥＷ  ＳＴＡ１０４は、各チャネル上で別々のＣＴＳを送信してもよいか、又は２つ以上のチャネルの帯域幅を有するＣＴＳを送信してもよい。動作１００８において、ＣＴＳを送信するチャネルがない場合、その場合に方法１０００は動作１００２に戻ることができる。動作１０１０において、方法１０００は、動作１００２に戻ることができる。
【００４２】
図１１は、いくつかの実施例によるトリガフレームを送信するための方法を例示する。方法１１００は、オリジナルの割り当てを生成する動作１１０１において開始することができる。例えば、マスタステーション１０２は、１つ又は複数のＨＥＷ  ＳＴＡ１０４のための送信機会を対象としたオリジナルの割り当てを生成することができる。送信機会は、ＨＥＷ  ＳＴＡ１０４とのチャネルの割り当て、及び送信機会の持続時間を含むことができる。
【００４３】
方法１１００は、任意に、帯域幅利用可能性トリガを送信する動作１１０２に進行することができる。例えば、マスタステーション１０２は、図１２に関連して開示されるように、帯域幅利用可能性トリガ１２０６を送信することができる。
【００４４】
方法１１００は、任意に、帯域幅利用可能性レポートを受信する動作１１０３に進行することができる。例えば、マスタステーション１０２は、図１２に関連して開示されるように、帯域幅利用可能性レポート１２０８を受信することができる。
【００４５】
方法１１００は、任意に、ＭＵ−ＲＴＳを送信するか？を含む動作１１０４に進行することができる。例えば、マスタステーション１０２は、帯域幅利用可能性レポート１２０８を受信しないこと、又は受信した帯域幅利用可能性レポート１２０８に基づいて、送信機会を継続しないこと、及び／又はＭＵ−ＲＴＳを送信しないことを判定することができる。方法１１００は、マスタステーション１０２がＭＵ−ＲＴＳを送信しないと決定した場合、動作１１０１に戻るか、又は終了することができる。
【００４６】
方法１１００は、ＭＵ−ＲＴＳを送信する動作１１０５に進行することができる。例えば、マスタステーション１０２は、本明細書で開示されるように、ＭＵ−ＲＴＳを送信することができる。マスタステーション１０２は、プライマリチャネル上でのみＭＵ−ＲＴＳを送信することができるか、又は複数のチャネル上でＭＵ−ＲＴＳを繰り返すことができる。マスタステーション１０２は、受信された帯域幅利用可能性レポートに基づいて、どのチャネル及び／又はどのＨＥＷステーション１０４にＭＵ−ＲＴＳを送信するかを判定することができる。例えば、マスタステーション１０２は、利用可能でないと表示されているチャネルに対してＭＵ−ＲＴＳを送信しなくてもよい。
【００４７】
方法１１００は、ＣＴＳ応答を受信する動作１１０６に進行することができる。例えば、マスタステーション１０２は、ＨＥＷステーション１０２から任意のＣＴＳ応答を受信することができる。マスタステーション１０２は、各２０ＭＨｚチャネル上のＣＴＳ応答を復号することができる。マスタステーション１０２は、帯域幅、例えば８０ＭＨｚ、１６０ＭＨｚ、又は３２０ＭＨｚ上でＣＴＳ応答を受信することができる。
【００４８】
方法１１００は、オリジナルの割り当てを変更するかどうかを判定する動作１１０８に進行する。例えば、マスタステーション１０２は、プライマリチャネル上にはＣＴＳ応答が存在しないことを判定することができる。マスタステーション１０２は、送信機会を停止し、コンテンションフリーエンド（ＣＦ−ｅｎｄ）を送信することを決定することもあり得る。マスタステーション１０２は、プライマリチャネル上の割り当てを変更し、プライマリチャネル上に追加のステーションを追加することを決定することもあり得る。マスタステーション１０２は、ＭＵ−ＲＴＳを送信する前に、追加のＨＥＷ  ＳＴＡ１０４のための追加のパケットを用意して、その結果パケットがすぐに送信できるようにしてもよい。マスタステーション１０２は、送信機会のために、プライマリチャネルの持続時間を満たすことになる別のフレームを送信することを決定することもあり得る。
【００４９】
マスタステーション１０２は、たとえプライマリチャネル上にＣＴＳ応答が存在しない場合であっても、オリジナルの割り当てを継続することを決定することができる。いくつかの実施例では、マスタステーション１０２は、どのチャネル上にもＣＴＳ応答が存在しない場合、ＣＦ−ｅｎｄを送信することを決定することができる。マスタステーション１０２がプライマリチャネル上でＣＴＳ応答を受信しないが、しかし別のチャネル上で１つ又は複数のＣＴＳ応答を受信した場合、その場合にマスタステーション１０２は、プライマリチャネルに対する割り当て、及び任意にＣＴＳが受信されなかった他のチャネルに対する割り当てを変更することによって、オリジナルの割り当てを変更することを決定することができる。マスタステーション１０２は、予備の割り当て（contingency  allocation）を準備することができる。いくつかの実施例では、プライマリチャネル上でＣＴＳが受信されない場合、マスタステーション１０２は、プライマリチャネル上で別のフレームを送信することができる。
【００５０】
マスタステーション１０２が所与の２０ＭＨｚチャネル上でＣＴＳ応答を観測しないが、しかし少なくとも１つのチャネル上でＣＴＳ応答を受信した場合、次いで、マスタステーション１０２は下記を実行することができる。マスタステーション１０２は、ＣＴＳ応答が存在しない任意のチャネルに対する割り当てを変更することができる。マスタステーション１０２は、ＣＴＳ応答が受信されなかったチャネル上で送信しないことを決定することができる。マスタステーション１０２は、マスタステーション１０２がＣＴＳ応答を受信した任意のチャネル上で送信することを決定することができる。
【００５１】
方法１１００は、オリジナルの割り当てを変更する動作１１１０に進行する。マスタステーション１０２がオリジナルの割り当てを変更しないことを判定した場合、次いで、方法１１００は、オリジナルの割り当てを有するトリガフレームを送信する動作１１１２に進行する。
【００５２】
マスタステーション１０２がオリジナルの割り当てを変更することを判定した場合、次いで、方法１１００は、任意に、ＴＸＯＰを打ち切るかどうかを判定する動作１１１４に進行する。例えば、マスタステーション１０２がＴＸＯＰを打ち切ると判定した場合、次いで、方法１１００は、ＴＸＯＰを打ち切る動作１１１６に進行する。例えば、マスタステーション１０２は、ＣＦ−ｅｎｄを送信することができる。動作１１１４において、マスタステーション１０２がＴＸＯＰを打ち切らないと判定した場合、次いで、方法１１００は、オリジナルの割り当てを変更する動作１１１８に進行する。例えば、マスタステーション１０２は、上述したように、オリジナルの割り当てを変更することができるか、又はいくつかの実施例では、マスタステーション１０２は、新しい割り当てを作成することができる。いくつかの実施例では、マスタステーション１０２は、各チャネルに対して予備（contingency）を有する割り当てを生成することができる。
【００５３】
方法1100は、新しい割り当てに従って送信する動作1120に進行することができる。例えば、マスタステーション102は、オリジナルの割り当てを変更し、新しい割り当てを有する第2のトリガフレームを送信することができる。いくつかの実施例では、オリジナルの割り当てが送信された可能性があり、マスタステーション102は、新しい割り当てを送信することにより、オリジナルの割り当てとは異なる割り当てによって単に送信することができる。方法1100は終了することができる。
【００５４】
いくつかの実施例では、マスタステーション１０２は、ＣＴＳ応答を受信してオリジナルの割り当てを変更した後にのみＳＩＦＳ時間を有する。いくつかの実施例では、マスタステーション１０２は、ＨＥＷ  ＳＴＡ１０４からのＣＴＳ応答を区別することができない。例えば、いくつかの実施例では、ＣＴＳ応答は送信機アドレスを含まない。他の例では、ＣＴＳ応答は相互に干渉し得る。
【００５５】
図１２は、いくつかの実施例による帯域幅利用可能性レポートのための方法１２００を例示する。図１２には、水平軸に沿った時間１２０４と、垂直軸に沿った周波数１２０２とが例示されている。方法１２００は、帯域幅利用可能性トリガ１２０６を送信する動作１２５０において開始することができる。例えば、マスタステーション１０２は、帯域幅利用可能性トリガ１２０６を複数のＨＥＷ  ＳＴＡ１０４に送信することができる。いくつかの実施例では、応答のためのＨＥＷ  ＳＴＡ１０４及びリソース割り当ては、帯域幅利用可能性トリガ１２０６に表示される。いくつかの実施例では、帯域幅利用可能性トリガ１２０６は、帯域幅ポーリングと呼ばれてもよい。帯域幅利用可能性トリガ１２０６は、総計の帯域幅の表示を含むことができる。帯域幅利用可能性トリガ１２０６は、別のパケットと結合されることができる。帯域幅利用可能性トリガ１２０６は、複数のチャネル上で送信されることができる。帯域幅利用可能性トリガ１２０６は、帯域幅利用可能性レポート１２０８のためのＨＥＷ  ＳＴＡ１０４及びリソース割り当ての表示を含むことができる。例えば、リソース割り当ては、ＨＥＷ  ＳＴＡ１０４が帯域幅利用可能性レポート１２０８を送信するための５ＭＨｚのチャネルを表示することができる。
【００５６】
方法１２００は、１つ又は複数のＨＥＷ  ＳＴＡ１０４が帯域幅利用可能性レポート１２０８を送信する動作１２５２に進行することができる。ＨＥＷ  ＳＴＡ１０４は、帯域幅利用可能性トリガ１２０６に表示されるリソース割り当てに従って帯域幅利用可能性レポートを送信することができる。帯域幅利用可能性レポート１４００及び１４５０は、帯域幅利用可能性レポート１２０８の例であり、図１４と関連して説明される。いくつかの実施例では、例えば、図１５に関連して説明されたように、帯域幅利用可能性レポート１２０８は、レガシープリアンブル、及び帯域幅利用可能性トリガ１２０６におけるリソース割り当てに従って送信される高効率（ＨＥ）プリアンブルのみを含むことができる。方法１２００は終了することができる。
【００５７】
図１３は、いくつかの実施例による帯域幅利用可能性レポートのための方法１３００を例示する。図１３には、水平軸に沿った時間１３０４と、垂直軸に沿った周波数１３０２とが例示されている。２つの２０ＭＨｚチャネル１３０６．１及び１３０６．２が例示されているが、より多いか又はより少ないチャネルがシグナリングされてもよい。
【００５８】
方法１３００は、マスタステーション１０２が帯域幅利用可能性トリガ１３０８．１及び１３０８．２を送信する動作１３５０において開始する。帯域幅利用可能性トリガ１３０８は、ＨＥＷ  ＳＴＡ１０４の各々が帯域幅利用可能性レポート１３１４を送信するためのサブチャネルであり得るリソース割り当てに加えて、
４つのＨＥＷ  ＳＴＡ１０４の表示を含み得る。
【００５９】
方法１３００は、ＳＴＡ１及びＳＴＡ２による共通レガシープリアンブル１３１０．１、並びにＳＴＡ４による共通レガシープリアンブル１３１０．２を伴う動作１３５２に進行する。ＳＴＡ１、ＳＴＡ２、ＳＴＡ３、及びＳＴＡ４は、ＨＥＷ  ＳＴＡ１０４であってもよい。ＳＴＡ１、ＳＴＡ２、及びＳＴＡ４は、帯域幅利用可能性トリガ１３０８におけるリソース割り当てに従って共通レガシープリアンブルを送信した。ＳＴＡ３は、帯域幅利用可能性トリガ１３０８．１及び１３０８．２に表示されているにもかかわらず、応答しなかった。ＳＴＡ３は、帯域幅利用可能性トリガ１３０８を受信していない可能性がある。
【００６０】
他のＨＥＷ  ＳＴＡ１０４は、帯域幅利用可能性トリガ１３０８を受信しているかもしれないが、それらが帯域幅利用可能性トリガ１３０８に表示されていないので、応答していない可能性がある。
【００６１】
方法１３００は、ＨＥＷ  ＳＴＡ１０４が、ＳＴＡ１によるＨＥ−プリアンブル１３１２．１を送信し、ＳＴＡ２によるＨＥ−プリアンブル１３１２．２を送信し、ＳＴＡ４によるＨＥ−プリアンブル１３１２．３を送信する動作１３５４に進行することができる。ＳＴＡ１は、帯域幅利用可能性トリガ１３０８．１におけるリソース割り当てに従って、ＳＴＡ１によるＨＥ−プリアンブル１３１２．１を送信することができる。ＳＴＡ２は、帯域幅利用可能性トリガ１３０８．１におけるリソース割り当てに従って、ＳＴＡ２によるＨＥ−プリアンブル１３１２．２を送信することができる。ＳＴＡ４は、帯域幅利用可能性トリガ１３０８．１におけるリソース割り当てに従って、ＳＴＡ４によるＨＥ−プリアンブル１３１２．３を送信することができる。
【００６２】
方法１３００は、ＨＥＷ  ＳＴＡ１０４が、ＳＴＡ１による帯域幅利用可能性レポート１３１４．１を送信し、ＳＴＡ２による帯域幅利用可能性レポート１３１４．２を送信し、ＳＴＡ４による帯域幅利用可能性レポート１３１４．３を送信する動作１３５６に進行することができる。例えば、ＳＴＡ１は、帯域幅利用可能性トリガ１３０８．１におけるリソース割り当てに従って、帯域幅利用可能性レポート（例えば、１４００、１４５０）を送信することができる。ＳＴＡ２は、帯域幅利用可能性トリガ１３０８．１におけるリソース割り当てに従って、帯域幅利用可能性レポート（例えば、１４００、１４５０）を送信することができる。ＳＴＡ４は、帯域幅利用可能性トリガ１３０８．１におけるリソース割り当てに従って、帯域幅利用可能性レポート（例えば、１４００、１４５０）を送信することができる。方法１３００は終了することができる。
【００６３】
図１４は、いくつかの実施例による帯域幅利用可能性レポート１４００、１４５０の例を例示する。帯域幅利用可能性レポート１４００は、帯域の表示１４０２、及び利用可能性の表示１４０４を含むことができる。帯域幅利用可能性レポート１４５０は、帯域幅利用可能性レポートの別の例である。例えば、帯域の表示１４０２は、レポートが８０ＭＨｚのためのものであることを表示し得る。例えば、帯域の表示１４０６は、８０ＭＨｚ帯域を表示する。いくつかの実施例では、帯域の表示１４０２は、通信標準によって暗示され得るか、又は帯域幅利用可能性トリガ（例えば、１２０６）において表示され得る。
【００６４】
利用可能性の表示１４０４は、チャネル利用可能性のビットマップであってもよい。例えば、１４０８は、「１」を表示し、それは、プライマリチャネルが利用可能であることを表示し得る。１４１０は、セカンダリ２０ＭＨｚチャネルが利用可能でないことを表示し得る。１４１２は、下側４０ＭＨｚにおける上側２０ＭＨｚが利用可能でないことを表示し得る。１４１４は、下側４０ＭＨｚにおける下側２０ＭＨｚが利用可能でないことを表示し得る。
【００６５】
図１５は、いくつかの実施例による帯域幅利用可能性レポートのための方法１５００を例示する。図１５には、水平軸に沿った時間１５０４と、垂直軸に沿った周波数１５０２とが例示されている。２つの２０ＭＨｚチャネル１５０６．１及び１５０６．２が例示されているが、より多いか又はより少ないチャネルがシグナリングされてもよい。
【００６６】
方法１５００は、マスタステーション１０２が帯域幅利用可能性トリガ１５０８．１及び１５０８．２を送信する動作１５５０において開始する。帯域幅利用可能性トリガ１５０８は、ＨＥＷ  ＳＴＡ１０４の各々が帯域幅利用可能性レポート１３１４を送信するためのサブチャネルであり得るリソース割り当てに加えて、４つのＨＥＷ  ＳＴＡ１０４（ＳＴＡ１、ＳＴＡ２、ＳＴＡ３、及びＳＴＡ４）の表示を含み得る。ＳＴＡは、ＨＥＷ  ＳＴＡ１０４であってもよい。
【００６７】
方法１５００は、ＳＴＡ１及びＳＴＡ２による共通レガシープリアンブル１５１０．１、並びにＳＴＡ４による共通レガシープリアンブル１５１０．２を伴う動作１５５２に進行する。ＳＴＡ１、ＳＴＡ２、及びＳＴＡ４は、帯域幅利用可能性トリガ１５０８におけるリソース割り当てに従って共通レガシープリアンブルを送信した。ＳＴＡ３は、帯域幅利用可能性トリガ１５０８．１及び１５０８．２に表示されているにもかかわらず、応答しなかった。ＳＴＡ３は、帯域幅利用可能性トリガ１５０８を受信していない可能性がある。
【００６８】
他のＨＥＷ  ＳＴＡ１０４は、帯域幅利用可能性トリガ１５０８を受信しているかもしれないが、それらが帯域幅利用可能性トリガ１５０８に表示されていないので、応答していない可能性がある。
【００６９】
方法１５００は、ＳＴＡ１、ＳＴＡ２、及びＳＴＡ４が、それぞれ、ＳＴＡ１によるＨＥ−プリアンブル１５１２．１を送信し、ＳＴＡ２によるＨＥ−プリアンブル１５１２．２を送信し、ＳＴＡ４によるＨＥ−プリアンブル１５１２．３を送信する動作１５５４に進行する。マスタステーション１０２は、帯域幅利用可能性トリガ１５０８に表示されたリソース割り当てに従って送信されているＨＥ−プリアンブルを、チャネルが利用可能であるという表示として解釈することができる。ＳＴＡ３が２０ＭＨｚ１５０６．２のサブチャネル１及びサブチャネル２上でＨＥ−プリアンブルを送信しないということは、ＳＴＡ３が帯域幅利用可能性トリガ１５０８を受信しなかったか、又はＳＴＡ３に対する帯域幅利用可能性トリガ１５０８に表示されたチャネルが利用可能ではない、ということを示す。マスタステーション１０２は、ＳＴＡからの応答を解釈し、その応答に基づいてリソース割り当てを決定することができる。方法１５００は終了することができる。
【００７０】
図１６は、いくつかの実施例による帯域幅利用可能性レポート１６０８を例示する。図１６には、水平軸に沿った時間１６０４と、垂直軸に沿った周波数１６０２とが例示されている。マスタステーション１０２は、本明細書で開示されるように、帯域幅利用可能性トリガ１６０６を送信することができる。マスタステーション１０２は、帯域幅利用可能性レポート１６０８を超えて延びるとともに、ＭＵ−ＲＴＳ１６１０まで持続するか、又はＭＵ−ＲＴＳ１６１０を超える持続時間を有するように、ＮＡＶ１６１２を設定することができる。
【００７１】
図１７は、いくつかの実施例に従って、帯域幅利用可能性トリガ１７１４がＭＵ−ＲＴＳ１７１０の後に送信され得ることを例示する。マスタステーション１０２は、１つ又は複数のＨＥＷ  ＳＴＡ１０４にＭＵ−ＲＴＳ１７１０を送信することができる。１つ又は複数のＨＥＷ  ＳＴＡ１０４は、ＣＴＳ１７１２によって応答することができる。次いで、マスタステーション１０２は、帯域幅利用可能性トリガ１７１４を送信することができる。その後、ＨＥＷ  ＳＴＡ１０４は、帯域幅利用可能性レポート１７１６によって応答することができる。代替の実施例では、帯域幅利用可能性トリガ１７１４は、ＭＵ−ＲＴＳ１７１０の前に送信されてもよい。
【００７２】
図１８は、いくつかの実施例によるＨＥＷステーション１８００を例示する。ＨＥＷステーション１８００は、レガシーデバイス１０６（図１）と通信するだけでなく、ＨＥＷステーション１０４（図１）又はマスタステーション１０２（図１）のような１つ又は複数の他のＨＥＷステーションと通信するように構成され得るＨＥＷ準拠デバイスであり得る。ＨＥＷステーション１８００は、マスタステーション１０２又はアクセスポイントであってもよい。ＨＥＷステーション１０４及びレガシーデバイス１０６は、同様に、それぞれ、ＨＥＷデバイス及びレガシーステーション（ＳＴＡ）と呼ばれてもよい。ＨＥＷステーション１８００は、アクセスポイント１０２（図１）又はＨＥＷステーション１０４（図１）として動作するのに適当であり得る。実施例によれば、ＨＥＷステーション１８００は、とりわけ、送信／受信要素１８０１（例えば、アンテナ）、トランシーバ１８０２、物理レイヤ（ＰＨＹ）回路１８０４、及び媒体アクセス制御レイヤ回路（ＭＡＣ）１８０６を含むことができる。ＰＨＹ１８０４及びＭＡＣ１８０６は、ＨＥＷ準拠のレイヤであってもよく、また、同様に、１つ又は複数のレガシーＩＥＥＥ８０２．１１標準に準拠してもよい。
【００７３】
ＭＡＣ１８０６は、物理プロトコルデータユニット（ＰＰＤＵ）を設定するように構成されてもよく、とりわけ、ＰＰＤＵを送受信するように構成されてもよい。ＨＥＷステーション１８００は、同様に、本明細書で説明される様々な動作を実行するように構成された他の回路１８０８及びメモリ１８１０を含むことができる。回路１８０８は、トランシーバ１８０２に結合されてもよく、トランシーバ１８０２は、送信／受信要素１８０１に結合されてもよい。図１８は、回路１８０８及びトランシーバ１８０２を別個の構成要素として示しているが、回路１８０８及びトランシーバ１８０２は、電子パッケージ又はチップ内に一体化されていてもよい。
【００７４】
いくつかの実施例では、ＭＡＣ１８０６は、ＨＥＷ制御期間の間に媒体の制御を受信し、ＨＥＷ  ＰＰＤＵを構成するために、競合期間中に無線媒体を求めて競合するように構成されてもよい。いくつかの実施例では、ＭＡＣ１８０６は、チャネル競合設定、送信電力レベル、及びクリアチャネル評価（ＣＣＡ）レベルに基づいて、無線媒体を求めて競合するように構成されてもよい。
【００７５】
ＰＨＹ１８０４は、ＨＥＷ  ＰＰＤＵを送信するように構成されることができる。ＰＨＹ１８０４は、変調／復調、アップコンバージョン／ダウンコンバージョン、フィルタリング、増幅などのための回路を含むことができる。いくつかの実施例では、回路１８０８は、１つ又は複数のプロセッサを含むことができる。回路１８０８は、ＲＡＭ若しくはＲＯＭに格納された命令に基づいて、又は専用回路に基づいて、機能を実行するように構成されることができる。
【００７６】
いくつかの実施例では、回路１８０８は、図１から図１８に関連して本明細書で説明されるとともに、本明細書に開示される機能のうちの１つ又は複数を実行するように構成されてもよい。
【００７７】
いくつかの実施例では、２つ以上のアンテナ１８０１は、ＰＨＹ１８０４に結合されるとともに、ＨＥＷパケットの送信を含む信号を送受信するように構成され得る。ＨＥＷステーション１８００は、ＨＥＷ  ＰＰＤＵのようなデータ、及びＨＥＷステーション１８００がパケットに含まれる設定に従ってチャネル競合設定を適合させるべきであるという表示を含むパケットを送受信するためのトランシーバ１８０２を含み得る。メモリ１８１０は、ＨＥＷパケットを構成及び送信するための動作を実行するように他の回路を構成するための、そして図１から図１８に関連して本明細書で説明された様々な動作を実行するための情報を記憶し得る。
【００７８】
いくつかの実施例では、ＨＥＷステーション１８００は、マルチキャリア通信チャネルを介してＯＦＤＭ通信信号を使用して通信するように構成されてもよい。いくつかの実施例では、開示された実施例の範囲は、それらが同様に他の技術並びに標準に従って通信を送信及び／又は受信するのに適しているので、この点において限定されないが、ＨＥＷステーション１８００は、米国電気電子学会（ＩＥＥＥ）の、ＩＥＥＥ８０２．１１−２０１２、８０２．１１ｎ−２００９、８０２．１１ａｃ−２０１３、８０２．１１ａｘ、ＤｅｎｓｉＦｉを含んでいる標準、ＷＬＡＮについての標準及び／若しくは提案された仕様書、又は図１に関連して説明された他の標準のような、１つ又は複数の特定の通信標準に従って通信するように構成されてもよい。いくつかの実施例では、ＨＥＷステーション１８００は、８０２．１１ｎ又は８０２．１１ａｃの４ｘシンボル期間を使用することができる。
【００７９】
いくつかの実施例では、ＨＥＷステーション１８００は、携帯情報端末（ＰＤＡ）、無線通信機能を有するラップトップ若しくはポータブルコンピュータ、ウェブタブレット、無線電話、スマートフォン、ワイヤレスヘッドセット、ページャ、インスタントメッセージングデバイス、デジタルカメラ、アクセスポイント１０２、テレビ受像機、医療機器（例えば、心拍数モニタ、血圧モニタなど）、基地局、８０２．１１若しくは８０２．１６のような無線標準のための送信／受信デバイス、又は情報を無線で受信及び／又は送信することができる他のデバイスのような、携帯無線通信デバイスの一部であってもよい。いくつかの実施例では、モバイルデバイスは、キーボード、ディスプレイ、不揮発性メモリポート、複数のアンテナ１８０１、グラフィックスプロセッサ、アプリケーションプロセッサ、スピーカ、及び他のモバイルデバイス要素のうちの１つ又は複数を含むことができる。ディスプレイは、タッチスクリーンを含むＬＣＤスクリーンであってもよい。
【００８０】
アンテナ１８０１は、例えばダイポールアンテナ、モノポールアンテナ、パッチアンテナ、ループアンテナ、マイクロストリップアンテナ、又はＲＦ信号の送信に適した他のタイプのアンテナを含んでいる、１つ若しくは複数の指向性又は無指向性アンテナを含むことができる。いくつかの多入力多出力（ＭＩＭＯ）の実施例では、アンテナ１８０１は、空間ダイバーシティ、そして結果として生じる異なるチャネル特性を利用するために、効果的に分離されてもよい。
【００８１】
デバイス１８００はいくつかの別々の機能要素を有するものとして例示されているが、１つ又は複数の機能要素は、組み合わされることができるとともに、デジタル信号プロセッサ（ＤＳＰ）を含む処理要素などのソフトウェア設定要素、及び／又は他のハードウェア要素の組み合わせによって実施されることができる。例えば、いくつかの要素は、１つ又は複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、並びに少なくとも本明細書において説明された機能を実行するための様々なハードウェア及び論理回路の組み合わせを含む。いくつかの実施例では、機能要素は、１つ又は複数の処理要素上で動作する１つ又は複数のプロセスのことを指してもよい。
【００８２】
いくつかの実施例は、ソフトウェア及び／又はファームウェアで、完全に又は部分的に実装されてもよい。このソフトウェア及び／又はファームウェアは、非一時的なコンピュータ読み取り可能な記憶媒体中又は非一時的なコンピュータ読み取り可能な記憶媒体上に含まれる命令の形態をとることができる。次に、これらの命令は、本明細書で説明される動作の実行を可能にするために、１つ又は複数のプロセッサによって読み取られて、実行されてもよい。これらの命令は、その場合に、１つ又は複数のプロセッサによって読み取られて実行され、デバイス１８００に本明細書において説明された方法及び／又は動作を実行させる。命令は、ソースコード、コンパイルされたコード、解釈されたコード、実行可能なコード、静的なコード、動的なコードなどのような任意の適切な形式であり得るが、これに限定されない。そのようなコンピュータ読み取り可能な媒体は、下記に限定されないが、読み出し専用メモリ（ＲＯＭ）、ランダムアクセスメモリ（ＲＡＭ）、磁気ディスク記憶媒体、光記憶媒体、フラッシュメモリなどのような、１つ又は複数のコンピュータによって読み取り可能な形式で情報を記憶するための任意の有形の非一時的媒体を含むことができる。
【００８３】
下記の実例は、さらなる実施例に関連する。実例１は、高効率無線ローカルエリアネットワーク（ＨＥＷ）マスタステーションの装置である。当該装置は、マルチユーザ送信要求（ＭＵ−ＲＴＳ）を示すとともに、１つ又は複数のＨＥＷステーションが送信クリア（ＣＴＳ）を送信することができる１つ又は複数のチャネルを示すパケットを生成するように構成される処理回路を含む。また、当該装置は、上記パケットを上記１つ又は複数のＨＥＷステーションに送信するとともに、上記１つ又は複数のチャネル上で上記パケットに対するＣＴＳ応答を受信するように構成されるトランシーバを含む。
【００８４】
実例２において、実例１の主題は、任意に、上記処理回路が、１つ又は複数のＨＥＷステーションがＣＴＳを送信することができる１つ又は複数のチャネル、及び上記１つ又は複数のチャネルのそれぞれについて、上記１つ又は複数のＨＥＷステーションのうちのどれが上記ＣＴＳを送信することができるかの表示を示す上記パケットを生成するように更に構成される点を含むことができる。
【００８５】
実例３において、実例１又は実例２の主題は、任意に、上記処理回路が、上記ＣＴＳ応答に基づいて送信機会に使用されるべき上記１つ又は複数のチャネルに対する割り当てを生成するように更に構成される点を含むことができる。
【００８６】
実例４において、実例１から実例３のいずれかの主題は、任意に、上記処理回路が、上記ＣＴＳ応答に基づいて送信機会を打ち切ることを決定するように更に構成され、上記トランシーバが、コンテンションフリーエンド（ＣＦ−ｅｎｄ）パケットを送信するように構成される点を含むことができる。
【００８７】
実例５において、実例１から実例４のいずれかの主題は、任意に、上記チャネルが、下記のグループ、すなわち２０ＭＨｚの帯域幅、５ＭＨｚの帯域幅、１０ＭＨｚの帯域幅、２．５ＭＨｚの帯域幅、４０ＭＨｚの帯域幅、８０ＭＨｚの帯域幅、１６０ＭＨｚの帯域幅、及び３２０ＭＨｚの帯域幅の中からの１つである点を含むことができる。
【００８８】
実例６において、実例１から実例５のいずれかの主題は、任意に、上記トランシーバが、上記１つ又は複数のＨＥＷステーションに帯域幅利用可能性トリガを送信し、上記帯域幅利用可能性トリガに応答した帯域幅利用可能性レポートを上記１つ又は複数のＨＥＷステーションから受信し、上記帯域幅利用可能性レポートが、上記１つ又は複数のチャネルのうちの１つ又は複数のために上記１つ又は複数のＨＥＷステーションのうちの１つ又は複数から利用可能なチャネルを示す、ように更に構成される点を含むことができる。
【００８９】
実例７において、実例６の主題は、任意に、上記処理回路が、上記帯域幅利用可能性レポートに基づいて送信機会に対する割り当てを決定し、上記割り当てを含む第２のパケットを送信するように更に構成される点を含むことができる。
【００９０】
実例８において、実例６の主題は、任意に、上記帯域幅利用可能性トリガが、チャネルの表示と、上記１つ又は複数のＨＥＷステーションのうちの１つ又は複数の表示とを含む点を含むことができる。
【００９１】
実例９において、実例６の主題は、任意に、上記処理回路が、ＭＵ−ＲＴＳを示すとともに、１つ又は複数のＨＥＷステーションがＣＴＳを送信することができる１つ又は複数のチャネルを示す上記パケットを生成し、上記１つ又は複数のチャネル及び１つ又は複数のＨＥＷステーションが上記帯域幅利用可能性レポートに基づいて上記マスタステーションによって選択される、ように更に構成される点を含むことができる。
【００９２】
実例１０において、実例６の主題は、任意に、上記帯域幅利用可能性トリガが、上記１つ又は複数のＨＥＷステーションが上記帯域幅利用可能性レポートを送信することができるチャネルを示すリソース割り当てを更に含む点を含むことができる。
【００９３】
実例１１において、実例１から実例１０のいずれかの主題は、任意に、上記ＣＴＳ応答が、下記のグループ、すなわち直交周波数分割多元接続（ＯＦＤＭＡ）、マルチユーザ多入力多出力（ＭＵ−ＭＩＭＯ）、及び直交周波数分割多重（ＯＦＤＭ）の中からの少なくとも１つに従って受信される点を含むことができる。
【００９４】
実例１２において、実例１から実例１１のいずれかの主題は、任意に、上記処理回路に結合されたメモリを含むことができる。
【００９５】
実例１３において、実例１２の主題は、任意に、上記回路に結合された１つ又は複数のアンテナを含むことができる。
【００９６】
実例１４は、高効率無線ローカルエリアネットワーク（ＨＥＷ）マスタステーションにより実行される方法である。当該方法は、マルチユーザ送信要求（ＭＵ−ＲＴＳ）を示すとともに、１つ又は複数のＨＥＷステーションが送信クリア（ＣＴＳ）を送信することができる１つ又は複数のチャネルを示すパケットを生成するステップと、上記パケットを上記１つ又は複数のＨＥＷステーションに送信するステップとを含み得る。当該方法は、同様に、上記１つ又は複数のチャネル上で上記パケットに対するＣＴＳ応答を受信するステップを含み得る。
【００９７】
実例１５において、実例１４の主題は、任意に、１つ又は複数のＨＥＷステーションがＣＴＳを送信することができる１つ又は複数のチャネル、及び上記１つ又は複数のチャネルのそれぞれについて、上記１つ又は複数のＨＥＷステーションのうちのどれが上記ＣＴＳを送信することができるかの表示を示す上記パケットを生成するステップを含むことができる。
【００９８】
実例１６において、実例１４又は実例１５の主題は、任意に、上記ＣＴＳ応答に基づいて送信機会に使用されるべき上記１つ又は複数のチャネルに対する割り当てを生成するステップと、上記１つ又は複数のチャネルに対する上記割り当てを有する第２のパケットを送信するステップとを含むことができる。
【００９９】
実例１７において、実例１４から実例１６のいずれかの主題は、任意に、上記チャネルが、下記のグループ、すなわち２０ＭＨｚの帯域幅、５ＭＨｚの帯域幅、１０ＭＨｚの帯域幅、２．５ＭＨｚの帯域幅、４０ＭＨｚの帯域幅、８０ＭＨｚの帯域幅、１６０ＭＨｚの帯域幅、及び３２０ＭＨｚの帯域幅の中からの１つである点を含むことができる。
【０１００】
実例１８において、実例１４から実例１７のいずれかの主題は、任意に、上記１つ又は複数のＨＥＷステーションに帯域幅利用可能性トリガを送信するステップと、上記帯域幅利用可能性トリガに応答した帯域幅利用可能性レポートを上記１つ又は複数のＨＥＷステーションから受信するステップであって、上記帯域幅利用可能性レポートが、上記１つ又は複数のチャネルのうちの１つ又は複数のために上記１つ又は複数のＨＥＷステーションのうちの１つ又は複数から利用可能なチャネルを示す、ステップとを含むことができる。
【０１０１】
実例１９は、高効率無線ローカルエリアネットワーク（ＨＥＷ）ステーションの装置であって、当該装置は、マルチユーザ送信要求を示すとともに、上記ＨＥＷステーションが送信クリア（ＣＴＳ）を送信することができる１つ又は複数のチャネルを示すパケットを受信し、上記１つ又は複数のチャネル上で上記ＣＴＳを送信するかどうかを、下記の条件、すなわち上記１つ又は複数のチャネルのうちの上記チャネルに関する媒体ビジー状態が、上記チャネルがビジーでないことを示す場合、ネットワーク割り当てベクトルが、上記チャネルがビジーでないことを示す場合、及び動作チャネルのうちのプライマリチャネルが占有されているかどうか、のうちの少なくとも１つに基づいて判定するように構成される回路を含む。上記回路は、上記１つ又は複数のチャネルのうちの少なくとも１つのチャネル上で上記ＣＴＳを送信することが判定された場合には、上記１つ又は複数のチャネルのうちの上記少なくとも１つのチャネル上で上記ＣＴＳを送信するように更に構成され得る。
【０１０２】
実例２０において、実例１９の主題は、任意に、上記回路が、２０ＭＨｚの最小帯域幅に従って少なくとも１つのチャネル上で上記ＣＴＳを送信するように構成される点を含むことができる。
【０１０３】
実例２１において、実例１９又は実例２０の主題は、任意に、上記回路が、マスタステーションから帯域幅利用可能性トリガを受信し、上記１つ又は複数のチャネルのうちの１つ又は複数の利用可能性を示す帯域幅利用可能性レポートを上記マスタステーションに送信するように更に構成される点を含むことができる。
【０１０４】
実例２２において、実例１９から実例２１のいずれかの主題は、任意に、上記ＣＴＳが、下記のグループ、すなわち直交周波数分割多元接続（ＯＦＤＭＡ）、マルチユーザ多入力多出力（ＭＵ−ＭＩＭＯ）、及び直交周波数分割多重（ＯＦＤＭ）の中からの少なくとも１つに従って送信される点を含むことができる。
【０１０５】
実例２３において、実例１９から実例２２のいずれかの主題は、任意に、上記回路に結合されたメモリと、上記回路に結合された１つ又は複数のアンテナとを含むことができる。
【０１０６】
実例２４は、１つ又は複数のプロセッサによる実行のための命令を記憶する非一時的なコンピュータ読み取り可能な記憶媒体であって、前記命令は、高効率無線ローカルエリアネットワーク（ＨＥＷ）マスタステーションに、マルチユーザ送信要求（ＭＵ−ＲＴＳ）を示すとともに、１つ又は複数のＨＥＷステーションが送信クリア（ＣＴＳ）を送信することができる１つ又は複数のチャネルを示すパケットを生成させ、上記パケットを上記１つ又は複数のＨＥＷステーションに送信させるとともに、上記１つ又は複数のチャネル上で上記パケットに対するＣＴＳ応答を受信させるように、上記１つ又は複数のプロセッサを設定することができる。
【０１０７】
実例２５において、実例２４の主題は、任意に、上記命令が、上記ＨＥＷマスタステーションに、１つ又は複数のＨＥＷステーションがＣＴＳを送信することができる１つ又は複数のチャネル、及び上記１つ又は複数のチャネルのそれぞれについて、上記１つ又は複数のＨＥＷステーションのうちのどれが上記ＣＴＳを送信することができるかの表示を示す上記パケットを生成させるように、上記１つ又は複数のプロセッサを更に設定することができる点を含むことができる。
【０１０８】
実例２６は、高効率無線ローカルエリアネットワーク（ＨＥＷ）マスタステーションの装置である。当該装置は、マルチユーザ送信要求（ＭＵ−ＲＴＳ）を示すとともに、１つ又は複数のＨＥＷステーションが送信クリア（ＣＴＳ）を送信することができる１つ又は複数のチャネルを示すパケットを生成するための手段と、上記パケットを上記１つ又は複数のＨＥＷステーションに送信するための手段とを含む。当該装置は、上記１つ又は複数のチャネル上で上記パケットに対するＣＴＳ応答を受信するための手段を含み得る。
【０１０９】
実例２７において、実例２６の主題は、任意に、１つ又は複数のＨＥＷステーションがＣＴＳを送信することができる１つ又は複数のチャネル、及び上記１つ又は複数のチャネルのそれぞれについて、上記１つ又は複数のＨＥＷステーションのうちのどれが上記ＣＴＳを送信することができるかの表示を示す上記パケットを生成するための手段を含むことができる。
【０１１０】
実例２８において、実例２６又は実例２７のいずれかの主題は、任意に、上記ＣＴＳ応答に基づいて送信機会に使用されるべき上記１つ又は複数のチャネルに対する割り当てを生成するための手段を含むことができる。
【０１１１】
実例２９において、実例２６から実例２８のいずれかの主題は、任意に、上記ＣＴＳ応答に基づいて送信機会を打ち切るための手段を含むことができ、上記トランシーバは、コンテンションフリーエンド（ＣＦ−ｅｎｄ）パケットを送信するように構成される。
【０１１２】
実例３０において、実例２６から実例２９のいずれかの主題は、任意に、上記チャネルが、下記のグループ、すなわち２０ＭＨｚの帯域幅、５ＭＨｚの帯域幅、１０ＭＨｚの帯域幅、２．５ＭＨｚの帯域幅、４０ＭＨｚの帯域幅、８０ＭＨｚの帯域幅、１６０ＭＨｚの帯域幅、及び３２０ＭＨｚの帯域幅の中からの１つである点を含むことができる。
【０１１３】
実例３１において、実例２６から実例３０のいずれかの主題は、任意に、上記１つ又は複数のＨＥＷステーションに帯域幅利用可能性トリガを送信するための手段と、上記帯域幅利用可能性トリガに応答した帯域幅利用可能性レポートを上記１つ又は複数のＨＥＷステーションから受信するための手段であって、上記帯域幅利用可能性レポートが、上記１つ又は複数のチャネルのうちの１つ又は複数のために上記１つ又は複数のＨＥＷステーションのうちの１つ又は複数から利用可能なチャネルを示す、手段を含むことができる。
【０１１４】
実例３２において、実例２６から実例３１のいずれかの主題は、任意に、上記帯域幅利用可能性レポートに基づいて送信機会に対する割り当てを決定し、上記割り当てを含む第２のパケットを送信するための手段を含むことができる。
【０１１５】
実例３３において、実例１９から実例２１のいずれかの主題は、任意に、上記帯域幅利用可能性トリガが、チャネルの表示と、上記１つ又は複数のＨＥＷステーションのうちの１つ又は複数の表示とを含む点を含むことができる。
【０１１６】
実例３４において、実例２６の主題は、任意に、ＭＵ−ＲＴＳを示すとともに、１つ又は複数のＨＥＷステーションがＣＴＳを送信することができる１つ又は複数のチャネルを示す上記パケットを生成するための手段であって、上記１つ又は複数のチャネル及び１つ又は複数のＨＥＷステーションが上記帯域幅利用可能性レポートに基づいて上記マスタステーションによって選択される、手段を含むことができる。
【０１１７】
実例３５において、実例２６の主題は、任意に、上記帯域幅利用可能性トリガが、上記１つ又は複数のＨＥＷステーションが上記帯域幅利用可能性レポートを送信することができるチャネルを示すリソース割り当てを更に含む点を含むことができる。
【０１１８】
実例３６において、実例２６から実例３５のいずれかの主題は、任意に、上記ＣＴＳ応答が、下記のグループ、すなわち直交周波数分割多元接続（ＯＦＤＭＡ）、マルチユーザ多入力多出力（ＭＵ−ＭＩＭＯ）、及び直交周波数分割多重（ＯＦＤＭ）の中からの少なくとも１つに従って受信される点を含むことができる。
【０１１９】
実例３７において、実例２６から実例３６のいずれかの主題は、任意に、上記処理回路に結合されたメモリを含むことができる。
【０１２０】
実例３８において、実例３７の主題は、任意に、上記回路に結合された１つ又は複数のアンテナを含むことができる。
【０１２１】
実例３９は、高効率無線ローカルエリアネットワーク（ＨＥＷ）ステーションの装置である。当該装置は、マルチユーザ送信要求を示すとともに、上記ＨＥＷステーションが送信クリア（ＣＴＳ）を送信することができる１つ又は複数のチャネルを示すパケットを受信するための手段と、上記１つ又は複数のチャネル上で上記ＣＴＳを送信するかどうかを、下記の条件、すなわち上記１つ又は複数のチャネルのうちの上記チャネルに関する媒体ビジー状態が、上記チャネルがビジーでないことを示す場合、ネットワーク割り当てベクトルが、上記チャネルがビジーでないことを示す場合、及び動作チャネルのうちのプライマリチャネルが占有されているかどうか、のうちの少なくとも１つに基づいて判定するための手段とを含む。当該装置は、上記１つ又は複数のチャネルのうちの少なくとも１つのチャネル上で上記ＣＴＳを送信することが判定された場合には、上記１つ又は複数のチャネルのうちの上記少なくとも１つのチャネル上で上記ＣＴＳを送信するための手段を含み得る。
【０１２２】
実例４０において、実例３９の主題は、任意に、２０ＭＨｚの最小帯域幅に従って少なくとも１つのチャネル上で上記ＣＴＳを送信するための手段を含むことができる。
【０１２３】
実例４１において、実例３８又は実例３９の主題は、任意に、マスタステーションから帯域幅利用可能性トリガを受信するための手段と、上記１つ又は複数のチャネルのうちの１つ又は複数の利用可能性を示す帯域幅利用可能性レポートを上記マスタステーションに送信するための手段とを含むことができる。
【０１２４】
実例４２において、実例３９から実例４１のいずれかの主題は、任意に、上記ＣＴＳが、下記のグループ、すなわち直交周波数分割多元接続（ＯＦＤＭＡ）、マルチユーザ多入力多出力（ＭＵ−ＭＩＭＯ）、及び直交周波数分割多重（ＯＦＤＭ）の中からの少なくとも１つに従って送信される点を含むことができる。
【０１２５】
実例４３において、実例３９から実例４２のいずれかの主題は、任意に、上記回路に結合されたメモリと、上記回路に結合された１つ又は複数のアンテナとを含むことができる。
【０１２６】
読者が技術的開示の性質及び要点を確かめることを可能にするであろう要約を要求する連邦規則法典第３７巻セクション１．７２（ｂ）（37C.F.R.  Section  1.72(b)）に適合するように、要約が提供される。要約は、要約が請求項の範囲若しくは意味を限定するか、又は解釈するために使用されないであろう、という了解のもとに提出される。したがって、添付の請求項は、この結果、各請求項が個別の実施例として独立している状態で詳細な説明の中に組み込まれる。
【図１】
0006720202.tif 000002
【図２】
0006720202.tif 000003
【図３】
0006720202.tif 000004
【図４】
0006720202.tif 000005
【図５】
0006720202.tif 000006
【図６】
0006720202.tif 000007
【図７】
0006720202.tif 000008
【図８】
0006720202.tif 000009
【図９】
0006720202.tif 000010
【図１０】
0006720202.tif 000011
【図１１】
0006720202.tif 000012
【図１２】
0006720202.tif 000013
【図１３】
0006720202.tif 000014
【図１４】
0006720202.tif 000015
【図１５】
0006720202.tif 000016
【図１６】
0006720202.tif 000017
【図１７】
0006720202.tif 000018
【図１８】
0006720202.tif 000019